(57)【特許請求の範囲】
【請求項１】
上端にフックを設けた支持棒と、前記支持棒に上下動可能に取り付け下方に突出部を設けた中空の筒体と、前記支持棒の下端部に固定された支持板と、前記支持板に回動可能に取り付けられ上部に凹凸を形成した係止部材と、前記フックと前記筒体の間を上下動可能かつ前記支持棒に回転可能取り付け係止溝が形成されたストッパと、前記係止部材と前記支持板とが固定されている位置より上方で、前記係止部材と支持棒とがバネが繋がってなる支持部及び前記筒体の上部に放射状に設けられた保持骨受けに一端部が取り付けられた複数の保持骨と、前記保持骨のほぼ中央に一端部が接続され、他端部が前記支持棒の下端に放射状に設けられた支持骨受けに接続された支持骨と、前記保持骨の他端から所定間隔で連結具を介して複数配置された先端部に洗濯物を挟着する挟着具と、前記挟着具の平板の柄の部分に前記連結具が連結され、平板の柄の部分に別の連結具が連結する骨部からなり、前記筒体から鉛直下向きに垂れる紐に設けられた取っ手を下方に引くことで、前記突出部を係止部材の上部に形成された凹凸に係止し、前記骨部が外方向にワンタッチで開き、かつ前記係止部材の上部に形成された凹凸を前記ストッパの係止溝に嵌合し、前記係止部材が前記突起部から外れないように固定し、前記係止部材から前記１つの連結具に設けられた孔を挿通する紐に設けられた取っ手を下方に引くことで、前記突起部が前記凹凸から外れ前記骨部がワンタッチで閉じ、前記挟着具の柄の部分が緩み前記挟着具の先端に挟着されている洗濯物が同時に落下するようにしたことを特徴とする洗濯物干し器。
【発明の詳細な説明】
【０００１】
【産業上の利用分野】
本発明は、干した洗濯物を折り畳む操作により洗濯物を極めて簡単かつ容易に取り込みを効率的に行うことができる洗濯物干し器の改良に関する発明である。
【０００２】
【従来の技術】
従来より、折り畳み機能を有した洗濯物干し器は、本願出願人が出願した洗濯物干し器は存在している。
【０００３】
【発明が解決しようとする課題】
しかし、従来の折り畳み式の洗濯物干し器は、折り畳む前に全ての洗濯物を取り外さなくてはならず、素早く洗濯物を取り込めないという問題点があった。また、前記に示すように、洗濯物の取り込みと折り畳みを別々に行う必要があるため、素早い取り込み、折り畳みが困難であるという問題点があった。
【０００４】
そこで、本願発明は、折り畳みをワンタッチででき同時に洗濯物の取り込みができる洗濯物干し器を提供することを目的としている。
【０００５】
【課題を解決するための手段】
本発明は、上記の課題を解決するために、上端にフック９ｂを設けた支持棒２と、前記支持棒２に上下動可能に取り付け下方に突出部３ａを設けた中空の筒体３と、前記支持棒２の下端部に固定された支持板４ｂと、前記支持板４ａに回動可能に取り付けられ上部に凹凸４ａを形成した係止部材４と、前記フック９ｂと前記筒体３の間を上下動可能かつ前記支持棒２に回転可能取り付け係止溝９ａが形成されたストッパ９と、前記係止部材４と前記支持板４ｂとが固定されている位置より上方で、前記係止部材４と支持棒２とがバネ４ｃが繋がってなる支持部１ａ及び前記筒体３の上部に放射状に設けられた保持骨受け２ａに一端部が取り付けられた複数の保持骨５と、前記保持骨５のほぼ中央に一端部が接続され、他端部が前記支持棒２の下端に放射状に設けられた支持骨受け２ｂに接続された支持骨６と、前記保持骨５、５の他端から所定間隔で連結具７を介して複数配置された先端部に洗濯物を挟着する挟着具８と、前記挟着具８の平板８ｂの柄の部分に前記連結具７が連結され、平板８ｂの柄の部分に別の連結具７が連結する骨部１ｂからなり、前記筒体３から鉛直下向きに垂れる紐３ｂに設けられた取っ手３ｃを下方に引くことで、前記突出部３ａを係止部材４の上部に形成された凹凸４ａに係止し、前記骨部１ｂが外方向にワンタッチで開き、かつ前記係止部材４の上部に形成された凹凸４ａを前記ストッパ９の係止溝９ａに嵌合し、前記係止部材４が前記突起部３ａから外れないように固定し、前記係止部材４から前記１つの連結具７に設けられた孔を挿通する紐４ｄに設けられた取っ手４ｅを下方に引くことで、前記突起部３ａが前記凹凸４ａから外れ前記骨部１ｂがワンタッチで閉じ、前記挟着具８の柄の部分が緩み前記挟着具８の先端８ｃ、８ｃに挟着されている洗濯物が同時に落下するようにしたことを特徴とする洗濯物干し器１の構成とした。
【０００６】
【実施例】
以下に、添付図面に基づいて本願発明である洗濯物干し器について詳細に説明する。図１は本発明である洗濯物干し器を開いた際の正面図、図２は本発明である洗濯物干し器の平面図、図３は本発明である洗濯物干し器を閉じた状態の正面図である。
【０００７】
図１、図２及び図３に示すように、本発明である洗濯物干し器１は、支持部１ａと骨部１ｂとから構成されている。支持部１ａは支持棒２、係止部材４、ストッパ９等からなる。骨部１ｂは保持骨５、支持骨６、連結具７、挟着具８等から構成されている。符号９ｂはフックである。本洗濯物干し器１を引っ掛けるためのものである。
【０００８】
支持棒２の下端には支持骨受け２ｂ、２ｂ、２ｂ、２ｂを４方向に放射状に設け、下端部には支持板４ｂを固定し、支持板４ｂには、凹凸４ａを有する係止部材４が回動可能に取り付けられている。
【０００９】
また、支持棒２の支持板４ｂの上方には、支持棒２が挿入されている中空の筒体３が上下動可能に取り付けられている。筒体３の下方には突出部３ａが突出形成されていて、突出部３ａは係止部材４の上部に形成されている凹凸４ａに係止される。
【００１０】
筒体３の上部には保持骨受け２ａ、２ａ、２ａ、２ａが固定されていて、保持骨受け２ａには４本の保持骨５、５、５、５が放射状に取り付けられている。４本の保持骨５、５、５、５は、支持棒２の下端に取り付けられている支持骨６、６、６、６により支持されている。
【００１１】
支持棒２に上下動可能に取り付けられている筒体３の上方には、ストッパ９が支持棒２に回転可能に取り付けられている。ストッパ９には、係止溝９ａが形成されている。係止溝９ａには、係止部材４の上部が入り、係止される。
【００１２】
支持棒２の下端部の４方向に設けられた支持骨受け２ｂ、２ｂ、２ｂ、２ｂに支持骨６、６、６、６の端部を取り付け、筒体３の上端部の４方向に設けられた保持骨受け２ａ、２ａ、２ａ、２ａには保持骨５、５、５、５の端部を取り付け、該保持骨５、５、５、５の所定位置に該支持骨６、６、６、６の端部を取り付ける。
【００１３】
図１に示すように、支持棒２を中心として支持骨６、６と保持骨５、５が形成する形状が左右ともに、略三角形状となるように、各保持骨５、各支持骨６が配置されている。
【００１４】
保持骨５、５、５、５の他端部には連結具７、７・・・７と挾着具８、８・・・８とが所定間隔に交互に複数配置されている。筒体３の上端部に設けられる保持骨受け２ａ及び支持棒２の下端部に設けられる支持骨受け２ｂは４方向とは限らず、５方向、６方向となる構造としてもよい。
【００１５】
筒体３の上部に設けられているストッパ９は、回動可能に支持棒２に取り付けられているとともに筒状体である。係止部材４の上部を係止溝９ａに入れて係止部材４の凹凸４ａが外方に動くことがないように固定する。
【００１６】
該係止溝９ａは、図１に示すように、保持骨５、５、５、５を開いて開いた傘のようになっている場合に、係止部材４が筒体３に設けられている突出部３ａから外れないように設けられる。
【００１７】
従って、図１、図２に示すように、骨部１ｂが開いている状態の場合は、係止溝９ａを係止部材４に嵌合し固定する。また、係止部材４を固定しないときは、図に示す矢印のように回動して係止部材４に嵌合しないような位置にしておけばよい。
【００１８】
筒体３及びストッパ９は、支持棒２を上下に自由に動くように取り付けられているので、筒体３が支持棒２を上下に動くことにより、骨部１ｂの保持骨５、５、５、５が開いたり閉じたりするのである。
【００】
ストッパ９は、保持骨５が張設している状態の時に、紐３ｂを下方に引っ張っても、係止部材４の凹部４ｆ〜４ｈから突出部３ａが外れることがなく、保持骨５が閉じてしまわないようにするためのものである。
【００１９】
図２に示すように、挟着具８、８、・・・・８を連結するための連結具７、７・・・７には、紐４ｄを通す必要があるために、連結具７、７、７・・・・７の１つに紐４ｄを通すための孔を形成し、その孔に紐４ｄを挿通する。連結具７は、１本の針金であってもよい。このように、連結具７を針金のように硬いものにすることにより、洗濯物が連結具７に絡みついても容易に取り外すことができる。
【００２０】
骨部１ｂの保持骨５、支持骨６等を開いたり閉じたりするために、取っ手３ｃを設けた紐３ｂが筒体３から鉛直下向きに垂れるように設け、別の取っ手４ｅを設けた紐４ｄを係止部材４から連結具７の途中に設けられた孔を通し、下方に垂れた状態で設ける。
【００２１】
取っ手３ｃを設けた紐３ｂを下方に引けば、骨部１ｂが閉じた状態から開く。逆に、骨部１ｂを閉じる場合には、取っ手４ｅを設けた紐４ｄを下方に引けば、骨部１ｂが開いた状態から閉じる。
【００２２】
図１は、筒体が支持棒の最下方の位置に移動した状態の図である。図１に示すように、通常洗濯物を干すときには、取っ手３ｃの付いた紐３ｂを引き、筒体３を支持棒２下部に移動することにより、筒体３下端部に設けられた突出部３ａが支持棒２の下端部に固定されている支持板４ｂに支持された係止部材４の凹凸４ａにより係止されて、骨部１ｂが開いた状態で洗濯物干し器1を使用する。
【００２３】
図２に示すように、所定間隔で設けられた連結具７、７・・・７と挾着具８、８・・・８が、保持骨５、５、５、５を開いた際に、連結具７、７・・・７で連結されたバネなし挾着具８、８・・・８の柄の部分が両側に引かれ、連結具７がバネの代わりとしても働き、挾着具８の先端部が閉じる。
【００２４】
図３は、本発明である洗濯物干し器を閉じた状態の正面図であり、洗濯物を取り込む際の状態である。通常、洗濯物を取り込む際には、取っ手４ｅの付いた紐４ｄを引き、筒体３を支持棒２の上部に移動することにより、筒体３の下端部に設けられた突出部３ａが支持板４ｂに回動可能に取り付けられている係止部材４の上部に形成されている凹凸４ａから外れ、筒体３が支持棒２を上昇して骨部１ｂが閉じられる。
【００２５】
筒体３に設けられた突出部３ａが、係止部材４の凹凸４ａにより保持されている際には保持骨５、５、５、５は外方向に開いている。しかし、取っ手４ｅを下方に引くと、保持骨５、５、５、５には下方向に力がかかり、逆に支持棒２の下端部にある筒体３には上方向に力がかかる。
【００２６】
そのため、係止部材４の上部に形成されている凹凸４ａから筒体３に形成されている突出部３ａを外すと、筒体３は上方向に力がかかり、自然に支持棒２の上部に移動し、保持骨５、５、５、５の先端部は下方に下がり骨部１ｂが閉じるのである。
【００２７】
また、図３に示すように、保持骨５、５、５、５が閉じる際に、連結具７、７・・・７間に取り付けられているバネを有しない挾着具８、８・・・８の柄の部分が緩み、バネの役目を果たさなくなるため、挾着具８の先端部が開き、挟着具８の先端８ｃ、８ｃに挟着されている洗濯物等が同時に落下する。
【００２８】
図４は、本発明である洗濯物干し器の骨部の開閉時の構造図である。本願発明である洗濯物干し器１の骨部１ｂの開閉時の構造は、図４に示すように、支持棒２の下方に固定されている支持板４ｂに回動可能に取り付けられていて、上部が凹凸状に形成されている凹凸４ａを設けた係止部材４の凹凸４ａの凹部に入り係止する突出部３ａを設けた筒体３と、支持棒２下端部と筒体３上端部とに設けられた支持骨受け２ｂ及び保持骨受け２ａとに設けた保持骨５と支持骨６とから構成される。
【００２９】
骨部１ｂは、筒体３が支持棒２を矢印に示すように上下動し、支持棒２の上部の位置に筒体３が上昇したときは骨部１ｂは閉じた状態である。一方、筒体３が支持棒２を下降し支持棒２の下方の位置にあるときは骨部１ｂは開いた状態となる。
【００３０】
取っ手３ｃを有する紐３ｂを下方に引っ張ると、筒体３が支持棒２の下方に下降し移動する。すると、支持板４ｂに固定された係止部材４の凹凸４ａに、筒体３に設けられている突出部３ａが係止される。その際、係止部材４は支持棒２と繋がるバネ４ｃにより、支持棒２方向へ引き寄せられている。
【００３１】
そして、筒体３が支持棒２を下に移動すると、筒体３上端部の保持骨受け２ａに接続されている保持骨５と、該保持骨５の所定位置に端部が接続され、他端部が支持棒２の下端の支持骨受け２ｂに接続されている支持骨６の作用により、図４に示すように、支持棒２の下方向に筒体３が移動すればするほど、骨部１ｂは外方向に開くのである。
【００３２】
図４に示すように、保持骨５、５、５、５を畳む際には、取っ手４ｅを設けた紐４ｄを引っ張ることにより、係止部材４の凹凸４ａから筒体３に設けられた突出部３ａが外れ、筒体３は支持棒２上部へ移動することにより、上述したように、骨部１ｂは閉じる。
【００３３】
保持骨５、支持骨６等からなる骨部１ｂが開いている状態では、筒体３では力が上方向に働くため、係止部材４の凹凸４ａが、筒体３下部に設けられた突出部３ａより外れると、筒体３は自然に支持棒２の上方へ上昇し移動するのである。
【００３４】
係止部材４の上部には、凹凸４ａが形成されていて、複数の凹部４ｆ、４ｇ、４ｈが形成されていて、筒体３に形成されている突出部３ａが最上の凹部４ｆに入り係止したときには、保持骨５、５、５、５全体が最も張設された状態となる。即ち、挟着具８の先端部の挟着力が最も強くなる。
【００３５】
中央の凹部４ｇに突出部３ａが嵌入したときには、挟着具８の挟着力はやや弱まり、突出部３ａが最下の凹部４ｈに嵌入したときには、挟着具８の先端部の挟着力は最も弱くなる。
【００３６】
図５は、本発明である洗濯物干し器の挟着具の開放時の構造図である。挾着具８の先端部が解放するようにするには、図５に示すように、張設状態にある保持骨５、５、５、５の張設状態を無くし、保持骨５、５、５、５の先端に取り付けられている連結具７の緊張状態を弛緩させる。これにより、連結具７と連結具７間に取り付けられている挟着具８、８、８、８・・・の先端部が開くのである。
【００３７】
図５に示すように、挾着具８、８・・・８は２つの左右の平板８ａ、８ｂを組み立てた構造であり、各平板８ａ、８ｂに連結具７、７・・・７を取り付けてある。また、連結具７と挟着具８は交互に取り付けられている。図５中に示す実線は、保持骨５が開いた際の骨部１ｂの状態を示し、波線は保持骨５が閉じた際の骨部１ｂの状態を示している。
【００３８】
図５に示すように、保持骨５が実線のように開いた状態の場合、挾着具８を構成している２つの平板８ａ、８ｂの上部の柄の部分が連結具７により、引っ張られた状態となるため、挾着具８の先端部は閉じた状態となる。
【００３９】
一方、波線で示すように保持骨５が閉じた状態の場合は、挾着具８を構成している２つの平板８ａ、８ｂが連結具７が緩まる状態となるため、挾着具８の先端部は開いた状態となる。
【００４０】
上記の構造とすることにより、骨部１ｂが開いた状態で、洗濯物を干した後、洗濯物を取り込む際には、保持骨５を閉じるのみで保持骨５、５間の張力がなくなり、挾着具８、８・・・８が洗濯物を保持する挟着力がなくなる。従って、挾着具８、８・・・８の先端部が開放し、挟着されている洗濯物が自動的に落下する。
【００４１】
【発明の効果】
本発明は、以上に説明したような構成であるから以下の効果が得られる。第１に、ワンタッチで折り畳む方式であるから素早く折り畳むことができ、挟着具８に挟着されている洗濯物を１回で同時に取り外すことが簡単にできる。
【００４２】
第２に、折り畳まれる時に、折り畳むと同時に洗濯物が挟着具８から離れるので、挟着具８から洗濯物を素早く取り込むことができ、突然降ってきた雨でも洗濯物が濡れることがない。
【図面の簡単な説明】
【図１】  本発明である洗濯物干し器を開いた際の正面図である。
【図２】  本発明である洗濯物干し器の平面図である
【図３】  本発明である洗濯物干し器を閉じた状態の正面図である。
【図４】  本発明である洗濯物干し器の骨部の開閉時の構造図である。
【図５】  本発明である洗濯物干し器の挾着具の開放時の構造図である。
【符号の説明】
１    洗濯物干し器
１ａ  支持部
１ｂ  骨部
２    支持棒
２ａ  保持骨受け
２ｂ  支持骨受け
３    筒体
３ａ  突出部
３ｂ  紐
３ｃ  取っ手
４    係止部材
４ａ  凹凸
４ｂ  支持板
４ｃ  バネ
４ｄ  紐
４ｅ  取っ手
４ｆ  凹部
４ｇ  凹部
４ｈ  凹部
５    保持骨
６    支持骨
７    連結具
８    挾着具
８ａ  平板
８ｂ  平板
８ｃ  先端
９    ストッパ
９ａ  係止溝
９ｂ  フック
【図１】
0003771422.tif 000002
【図２】
0003771422.tif 000003
【図３】
0003771422.tif 000004
【図４】
0003771422.tif 000005
【図５】
0003771422.tif 000006